【手続補正書】
【提出日】平成18年11月28日(2006.11.28)
【手続補正１】
【補正対象書類名】特許請求の範囲
【補正対象項目名】請求項１
【補正方法】変更
【補正の内容】
【請求項１】
画像処理装置に対して機能を追加するデータ処理装置において、前記データ処理装置が設置された旨を示す情報及び前記画像処理装置に対して機能が追加された旨を示す情報のうちの少なくとも１つを含む通知情報を送信すべき通知先の情報を前記画像処理装置から取得する取得手段と、前記通知情報を前記通知先に送信する送信手段とを備えることを特徴とするデータ処理装置。
【手続補正２】
【補正対象書類名】特許請求の範囲
【補正対象項目名】請求項７
【補正方法】変更
【補正の内容】
【請求項７】
データ処理装置により機能が追加される画像処理装置において、前記データ処理装置が設置された旨を示す情報及び前記データ処理装置により機能が追加された旨を示す情報のうちの少なくとも１つを含む通知情報を送信すべき通知先の情報を記憶する記憶手段と、前記データ処理装置が前記ネットワークに設置されたときに当該データ処理装置から送信される前記通知情報を取得する取得手段と、前記取得した通知情報を前記通知先に送信する送信手段とを備えることを特徴とする画像処理装置。
【手続補正３】
【補正対象書類名】特許請求の範囲
【補正対象項目名】請求項１１
【補正方法】変更
【補正の内容】
【請求項１１】
画像処理装置に対して機能を追加するデータ処理装置の情報通知方法において、前記データ処理装置が設置された旨を示す情報及び前記画像処理装置に対して機能が追加された旨を示す情報のうちの少なくとも１つを含む通知情報を送信すべき通知先の情報を前記画像処理装置から取得する取得ステップと、前記通知情報を前記通知先に送信する送信ステップとを備えることを特徴とするデータ処理装置の情報通知方法。
【手続補正４】
【補正対象書類名】特許請求の範囲
【補正対象項目名】請求項１７
【補正方法】変更
【補正の内容】
【請求項１７】
データ処理装置により機能が追加される画像処理装置の情報通知方法において、前記データ処理装置が設置された旨を示す情報及び前記データ処理装置により機能が追加された旨を示す情報のうちの少なくとも１つを含む通知情報を送信すべき通知先の情報を記憶する記憶ステップと、前記データ処理装置が前記ネットワークに設置されたときに当該データ処理装置から送信される前記通知情報を取得する取得ステップと、前記取得した通知情報を前記通知先に送信する送信ステップとを備えることを特徴とする画像処理装置の情報通知方法。
【手続補正５】
【補正対象書類名】特許請求の範囲
【補正対象項目名】請求項２１
【補正方法】変更
【補正の内容】
【請求項２１】
画像処理装置に対して機能を追加するデータ処理装置による情報通知を行うプログラムにおいて、前記データ処理装置が設置された旨を示す情報及び前記画像処理装置に対して機能が追加された旨を示す情報のうちの少なくとも１つを含む通知情報を送信すべき通知先の情報を前記画像処理装置から取得する取得モジュールと、前記通知情報を前記通知先に送信する送信モジュールとをコンピュータに実行させることを特徴とするプログラム。
【手続補正６】
【補正対象書類名】特許請求の範囲
【補正対象項目名】請求項２２
【補正方法】変更
【補正の内容】
【請求項２２】
データ処理装置により機能が追加される画像処理装置による情報通知を行うプログラムにおいて、前記データ処理装置が設置された旨を示す情報及び前記データ処理装置により機能が追加された旨を示す情報のうちの少なくとも１つを含む通知情報を送信すべき通知先の情報を記憶する記憶モジュールと、前記データ処理装置が前記ネットワークに設置されたときに当該データ処理装置から送信される前記通知情報を取得する取得モジュールと、前記取得した通知情報を前記通知先に送信する送信モジュールとをコンピュータに実行させることを特徴とするプログラム。
【手続補正７】
【補正対象書類名】明細書
【補正対象項目名】０００７
【補正方法】変更
【補正の内容】
【０００７】
上述の目的を達成するために、請求項１記載のデータ処理装置は、画像処理装置に対して機能を追加するデータ処理装置において、前記データ処理装置が設置された旨を示す情報及び前記画像処理装置に対して機能が追加された旨を示す情報のうちの少なくとも１つを含む通知情報を送信すべき通知先の情報を前記画像処理装置から取得する取得手段と、前記通知情報を前記通知先に送信する送信手段とを備えることを特徴とする。
【手続補正８】
【補正対象書類名】明細書
【補正対象項目名】００１３
【補正方法】変更
【補正の内容】
【００１３】
上述の目的を達成するために、請求項７記載の画像処理装置は、データ処理装置により機能が追加される画像処理装置において、前記データ処理装置が設置された旨を示す情報及び前記データ処理装置により機能が追加された旨を示す情報のうちの少なくとも１つを含む通知情報を送信すべき通知先の情報を記憶する記憶手段と、前記データ処理装置が前記ネットワークに設置されたときに当該データ処理装置から送信される前記通知情報を取得する取得手段と、前記取得した通知情報を前記通知先に送信する送信手段とを備えることを特徴とする。
【手続補正９】
【補正対象書類名】明細書
【補正対象項目名】００１７
【補正方法】変更
【補正の内容】
【００１７】
上述の目的を達成するために、請求項１１記載のデータ処理装置の情報通知方法は、画像処理装置に対して機能を追加するデータ処理装置の情報通知方法において、前記データ処理装置が設置された旨を示す情報及び前記画像処理装置に対して機能が追加された旨を示す情報のうちの少なくとも１つを含む通知情報を送信すべき通知先の情報を前記画像処理装置から取得する取得ステップと、前記通知情報を前記通知先に送信する送信ステップとを備えることを特徴とする。
【手続補正１０】
【補正対象書類名】明細書
【補正対象項目名】００２３
【補正方法】変更
【補正の内容】
【００２３】
上述の目的を達成するために、請求項１７記載の画像処理装置の情報通知方法は、データ処理装置により機能が追加される画像処理装置の情報通知方法において、前記データ処理装置が設置された旨を示す情報及び前記データ処理装置により機能が追加された旨を示す情報のうちの少なくとも１つを含む通知情報を送信すべき通知先の情報を記憶する記憶ステップと、前記データ処理装置が前記ネットワークに設置されたときに当該データ処理装置から送信される前記通知情報を取得する取得ステップと、前記取得した通知情報を前記通知先に送信する送信ステップとを備えることを特徴とする。
【手続補正１１】
【補正対象書類名】明細書
【補正対象項目名】００２７
【補正方法】変更
【補正の内容】
【００２７】
上述の目的を達成するために、請求項２１記載のプログラムは、画像処理装置に対して機能を追加するデータ処理装置による情報通知を行うプログラムにおいて、前記データ処理装置が設置された旨を示す情報及び前記画像処理装置に対して機能が追加された旨を示す情報のうちの少なくとも１つを含む通知情報を送信すべき通知先の情報を前記画像処理装置から取得する取得モジュールと、前記通知情報を前記通知先に送信する送信モジュールとをコンピュータに実行させることを特徴とする。
【手続補正１２】
【補正対象書類名】明細書
【補正対象項目名】００２８
【補正方法】変更
【補正の内容】
【００２８】
上述の目的を達成するために、請求項２２記載のプログラムは、データ処理装置により機能が追加される画像処理装置による情報通知を行うプログラムにおいて、前記データ処理装置が設置された旨を示す情報及び前記データ処理装置により機能が追加された旨を示す情報のうちの少なくとも１つを含む通知情報を送信すべき通知先の情報を記憶する記憶モジュールと、前記データ処理装置が前記ネットワークに設置されたときに当該データ処理装置から送信される前記通知情報を取得する取得モジュールと、前記取得した通知情報を前記通知先に送信する送信モジュールとをコンピュータに実行させることを特徴とする。
【手続補正１３】
【補正対象書類名】明細書
【補正対象項目名】００２９
【補正方法】変更
【補正の内容】
【００２９】
請求項１記載のデータ処理装置、請求項１１記載の情報通知方法、請求項２１記載のプログラムによれば、データ処理装置が設置された旨を示す情報及びデータ処理装置によって画像処理装置に対して機能が追加された旨を示す情報のうち少なくとも１つを含む通知情報を送信すべき通知先の情報を画像処理装置から取得し、通知情報を取得した通知先に送信するので、画像処理装置（ＭＦＰ）毎の通知すべき通知先（管理責任者）に画像処理装置に機能が追加されることを容易に通知することができる。
【手続補正１４】
【補正対象書類名】明細書
【補正対象項目名】００３５
【補正方法】変更
【補正の内容】
【００３５】
請求項７記載の画像処理装置、請求項１７記載の情報通知方法、請求項２２記載のプログラムによれば、データ処理装置が設置された旨を示す情報及びデータ処理装置により機能が追加された旨を示す情報のうちの少なくとも１つを含む通知情報を送信すべき通知先の情報を記憶し、データ処理装置がネットワークに設置されたときにそのデータ処理装置から送信される上記通知情報を取得し、取得した通知情報を通知先に送信するので、画像処理装置毎の通知すべき通知先に画像処理装置に機能が追加されることを確実に通知することができる。